(57)【要約】【課題】切断手工具によって平板を切断する際に切断手工具を案内することができる便利な道具である切断手工具用案内具を提供する。【解決手段】平板２が載置された定盤１または平板２自体に、縦方向の全体に渡って架渡されると共に横方向に移動自在に装着される本体２０と、本体２０に設けられ、切断手工具を縦方向に案内する縦案内部材３０と、本体２０の後部に設けられ、定盤１または平板２の後端面上を転動する後面ローラーと、本体２０の前部から後部に渡って架渡され、ハンドル２１の回動操作によって回動駆動される送りネジ２２と、定盤１または平板２の前端面上を転動する前面ローラーを有し、本体２０の前部に縦方向に移動可能に組み付けられると共に送りネジ２２の回動によって移動駆動され、本体２０の後部とで定盤１または平板２を縦方向に挟持する挟持体４０とを備える。【選択図】図１
0003141350.tif 000002
【実用新案登録請求の範囲】
【請求項１】
平板を切断する手持ち式電動丸鋸やカッターナイフ等の切断手工具を案内する切断手工具用案内具であって、
前記平板が載置された定盤または前記平板自体に、縦方向の全体に渡って架渡されると共に横方向に移動自在に装着される本体と、
該本体に設けられ、前記切断手工具を縦方向に案内する縦案内部材と、
前記本体の後部に設けられ、前記定盤または前記平板の後端面上を転動する後面ローラーと、
前記本体の前部から後部に渡って架渡され、ハンドルの回動操作によって回動駆動される送りネジと、
前記定盤または前記平板の前端面上を転動する前面ローラーを有し、前記本体の前部に縦方向に移動可能に組み付けられると共に前記送りネジの回動によって移動駆動され、前記本体の後部とで前記定盤または前記平板を縦方向に挟持する挟持体と
を備えることを特徴とする切断手工具用案内具。
【請求項２】
前記本体は、
前記定盤または前記平板の後端面を押圧する後面ストッパーを有し、前記送りネジの後端を回動自在に支持する後面ストッパー基台と、
前記後面ローラーを支持し、前記後面ストッパー基台に縦方向に移動自在に組み付けられると共に前記前面ローラー方向に付勢された後面ローラー基台と
を具備するものであり、
前記挟持体は、
前記定盤または前記平板の前端面を押圧する前面ストッパー、及び、前記送りネジに螺合する螺合部、を有する前面ストッパー基台と、
前記前面ローラーを支持し、前記前面ストッパー基台に縦方向に移動自在に組み付けられると共に前記後面ローラー方向に付勢された前面ローラー基台と
を具備するものである
ことを特徴とする請求項１に記載の切断手工具用案内具。
【請求項３】
前記本体には、前記切断手工具を横方向に案内する横案内部材が設けられた補助案内具が縦方向に移動自在に、且つ、着脱自在に装着されている
ことを特徴とする請求項１または請求項２に記載の切断手工具用案内具。
【考案の詳細な説明】
【技術分野】
【０００１】
本考案は、手持ち式電動丸鋸やカッターナイフ等の切断用手工具によって平板を切断する際に切断手工具を案内するために用いられる切断手工具用案内具に関するものである。
【背景技術】
【０００２】
木製の合板等の平板を手持ち式電動丸鋸やカッターナイフ等の切断用手工具によって切断する際には、シャコ万等のクランプ工具によって当て金や真っ直ぐな板材や棒材等（以下「当て金等」という）を平板の上面に固定して、平板の上面に固定した当て金等に沿って切断手工具を動かすことで、平板を真っ直ぐに切断することが一般的になされていた。
【考案の開示】
【考案が解決しようとする課題】
【０００３】
切断手工具によって平板を切断しようとする度に、上述のように当て金等を平板の上面に固定するのは、甚だ面倒であり、不便である。特に、平板の上面に当て金をクランプ工具によって堅固に固定するには、当て金等を２箇所以上で固定しなければならず、当て金の固定や解除には、面倒な作業を必要とする。また、平板を繰り返し平行に切断する際には、当て金等の固定・解除といった面倒な作業を繰り返し行わなければならない。
【０００４】
本考案は上記の実状に鑑みてなされたものであり、切断手工具によって平板を切断する際に切断手工具を案内することができる便利な道具である切断手工具用案内具を提供することを課題とする。
【課題を解決するための手段】
【０００５】
上記課題を解決するために本考案の採った主要な手段は、
「平板を切断する手持ち式電動丸鋸やカッターナイフ等の切断手工具を案内する切断手工具用案内具であって、
前記平板が載置された定盤または前記平板自体に、縦方向の全体に渡って架渡されると共に横方向に移動自在に装着される本体と、
該本体に設けられ、前記切断手工具を縦方向に案内する縦案内部材と、
前記本体の後部に設けられ、前記定盤または前記平板の後端面上を転動する後面ローラーと、
前記本体の前部から後部に渡って架渡され、ハンドルの回動操作によって回動駆動される送りネジと、
前記定盤または前記平板の前端面上を転動する前面ローラーを有し、前記本体の前部に縦方向に移動可能に組み付けられると共に前記送りネジの回動によって移動駆動され、前記本体の後部とで前記定盤または前記平板を縦方向に挟持する挟持体と
を備えることを特徴とする切断手工具用案内具」
である。
【０００６】
上記構成の切断手工具用案内具は、平板が載置された定盤または平板自体に装着して、本体に設けられた縦案内部材によって切断手工具を縦方向に案内するものである。ここで、平板が切断手工具用案内具を装着できる十分な厚さのものであれば、平板自体に切断手工具用案内具を装着して用いればよい。一方、平板が切断手工具用案内具を装着できる十分な厚さのものでなければ、定盤に平板を予め載置して固定しておき、平板が載置された定盤に切断手工具用案内具を装着して用いればよい。
【０００７】
ところで、上記構成の切断手工具用案内具は、本体と挟持体とで定盤または平板を縦方向に挟持するものであり、ハンドルによって回動される送りネジの駆動によって挟持体を締付け方向に移動させて定盤または平板を本体と挟持体とでしっかりと挟持させれば、定盤または平板に対して切断手工具用案内具が固定される。よって、切断手工具用案内具を、切断手工具を案内する道具として簡便に用いることができる。
【０００８】
また、平板を縦方向に繰り返し切断する場合には、本体を横方向に移動させて横方向における縦案内部材の位置を適宜変更することで、平板を縦方向に繰り返し切断する際の切断手工具の案内具として良好に用いることができる。ここで、上記構成の切断手工具用案内具では、本体に、定盤または平板の後端面上を転動する後面ローラーが設けられており、挟持体に、定盤または平板の前端面上を転動するた前面ローラーが設けられているため、本体と挟持体との挟持力を適度に弱めることで、定盤または平板に対して本体を、大きなガタツキがないように円滑に移動させることができる。
【０００９】
上述した手段において、
「前記本体は、
前記定盤または前記平板の後端面を押圧する後面ストッパーを有し、前記送りネジの後端を回動自在に支持する後面ストッパー基台と、
前記後面ローラーを支持し、前記後面ストッパー基台に縦方向に移動自在に組み付けられると共に前記前面ローラー方向に付勢された後面ローラー基台と
を具備するものであり、
前記挟持体は、
前記定盤または前記平板の前端面を押圧する前面ストッパー、及び、前記送りネジに螺合する螺合部、を有する前面ストッパー基台と、
前記前面ローラーを支持し、前記前面ストッパー基台に縦方向に移動自在に組み付けられると共に前記後面ローラー方向に付勢された前面ローラー基台と
を具備するものである
ことを特徴とする切断手工具用案内具」
とするのが好適である。
【００１０】
定盤または平板に対して切断手工具用案内具を固定する場合、本体の後面ローラーと挟持体の前面ローラーとで定盤または平板を強く挟持させることとしてもよいが、後面ローラー及び前面ローラーは、ローラーであるが故に不用意に転動して、平板を切断する際に切断手工具用案内具がずれてしまう虞がある。
【００１１】
これに対して、上記構成の切断手工具用案内具では、本体に設けられた後面ストッパーを定盤または平板の後端面に押圧させ、挟持体に設けられた前面ストッパーを定盤または平板の前端面に押圧させることで、定盤または平板に固定される。よって、切断手工具用案内具の堅固な固定を実現することができる。
【００１２】
また、後面ストッパーは、送りネジの後端を支持する後面ストッパー基台に設けられており、後面ローラーは、後面ストッパー基台に組み付けられると共に前面ローラー方向に付勢された後面ローラー基台に設けられている。一方、前面ストッパーは、送りネジに螺合する螺合部を有する前面ストッパー基台に設けられており、前面ローラーは、前面ストッパー基台に組み付けられると共に後面ローラー方向に付勢された前面ローラー基台に設けられている。
【００１３】
よって、本体と挟持体との挟持力を緩めた状態から送りネジを回動させて挟持力を高めていけば、まず、定盤または平板を後面ローラーと前面ローラーとでガタツキなく挟持する状態となり、さらに挟持力を高めると、夫々の付勢力に抗して、後面ストッパー基台に対して後面ローラー基台が後退し、前面ストッパー基台に対して前面ローラー基台が後退する。そして、最終的には、後面ストッパー基台の後面ストッパーと前面ストッパー基台の前面ストッパーとが定盤または平板に当接する状態となり、さらに挟持力を高めることで、後面ストッパーと前面ストッパーとで定盤または平板を縦方向に押圧して、切断手工具用案内具の堅固な固定が実現される。
【００１４】
従って、上記構成の切断手工具用案内具では、定盤または平板に対して横方向に円滑に移動できる状態から堅固に固定された状態にするまでの操作が簡便であり、使用勝手に優れる。
【００１５】
上述したいずれかの手段において、
「前記本体には、前記切断手工具を横方向に案内する横案内部材が設けられた補助案内具が縦方向に移動自在に、且つ、着脱自在に装着されている
ことを特徴とする切断手工具用案内具」
とするのが好適である。
【００１６】
上記構成の切断手工具用案内具によれば、本体の縦案内部材によって切断用工具を縦方向に案内することができるばかりでなく、補助案内具の横案内部材によって切断用工具を横方向に案内することができ、使用勝手を向上させることができる。
【００１７】
なお、補助案内具は、本体に縦方向に移動自在であるため、補助案内具を縦方向において適宜位置にて固定することで、補助案内具を、平板の所望の部位を横方向に切断する際の案内具として良好に用いることができる。また、補助案内具は、本体に対して着脱自在であるため、例えば平板を縦方向に切断する際において補助案内具が邪魔になる場合には補助案内具を取外せばよく、補助案内具が切断手工具用案内具そのものの使用勝手を低下させることはない。
【考案の効果】
【００１８】
以上のように、本考案によれば、切断手工具によって平板を切断する際に切断手工具を案内することができる便利な道具としての切断手工具用案内具を提供することができる。
【考案を実施するための最良の形態】
【００１９】
本考案の実施形態として、図１〜３に、切断手工具用案内具の一例を示す。
【００２０】
この切断手工具用案内具１０は、手持ち式の電動丸鋸やカッターナイフ等の切断手工具によって木製の合板等の平板を切断する際に、切断手工具が所望の切断線に沿うように案内するものである。また、切断手工具用案内具１０は、後端面と前端面とが相互に平行面となった定盤１または平板２に装着して用いられるものであり、切断対象の平板２が十分な厚さのものである場合には、平板２自体に装着して用いることができるものである。一方、切断対象の平板２が十分な厚さのものでない場合には、定盤１に平板２を載置してクランプ工具やネジ止め等によって予め固定しておけば、平板２が載置された定盤１に装着することで用いることができるものである。
【００２１】
切断手工具用案内具１０は、本体２０と挟持体４０と補助案内具５０とを具備するものとして構成されている。
【００２２】
本体２０は、定盤１または平板２の縦方向全体に渡って架渡される方形の枠状に形成されており、本体２０には、前部から後部に渡って送りネジ２２が架設されている。そして、本体２０の前部には、送りネジ２２を回動させるハンドル２１が取付けられている。
【００２３】
本体２０の後部は、後面ローラー２５を支持する後面ローラー基台２６を具備するものとなっている。ここで、後面ローラー２５は、切断手工具用案内具１０を横方向に移動させる際に円滑な移動がなされるように、定盤１または平板２の後端面に接触して後端面上を転動するものである。
【００２４】
後面ローラー基台２６には、後面ストッパー２３を有する後面ストッパー基台２４が縦方向に移動自在に組み付けられており、この後面ストッパー基台２４は、バネ２７によって後方に付勢されている。また、後面ストパー基台２４には、送りネジ２２の後端が回動自在に支持されている。なお、上記後面ストッパー２３は、定盤１または平板２に対して切断手工具用案内具１０を固定する場合に、定盤１または平板２の後端面を押圧するものである。
【００２５】
本体２０の前部には、挟持体４０が縦方向に移動自在に組み付けられている。ここで、挟持体４０は、前面ローラー基台４８と前面ストッパー基台４２とを具備するものとして構成されている。また、前面ストッパー基台４２は、前面ローラー基台４８に縦方向に移動自在に組み付けられており、バネ４９により前方に付勢されている。
【００２６】
前面ローラー基台４８は、前面ローラー４７を具備するものであり、前面ローラ４７は、切断手工具用案内具１０を横方向に移動させる際に円滑な移動がなされるように、定盤１または平板２の前端面に接触して前端面上を転動するものである。また、前面ストッパー基台４２は、前面ストッパー４１を具備するものであり、前面ストッパー４１は、定盤１または平板２に対して切断手工具用案内具１０を固定する場合に、定盤１または平板２の前端面を押圧するものである。
【００２７】
前面ストッパー基台４２には、送りネジ２２に螺合する螺合部４３が設けられており、送りネジ２２の回動により、縦方向に移動駆動される。また、前面ストッパー基台４２の移動に伴って、前面ローラー基台４８も移動する。すなわち、本例の切断手工具用案内具１０では、ハンドル２１によって送りネジ２２を回動させると、本体２０に対して、前面ローラー基台４８及び前面ストッパー基台４２からなる挟持体４０全体が移動する。
【００２８】
このように構成された本体２０及び挟持体４０は、送りネジ２２を回動させて挟持体４０を締付け方向に移動させることで、本体２０と挟持体４０とで定盤１または平板２を縦方向に挟持することができ、定盤１または平板２に対して不用意に移動しないように固定できるものであるが、挟持力を緩めた状態であれば、定盤１または平板２の上面を横方向に移動させることができるものである。以下に、この作動態様を説明する。
【００２９】
まず、挟持体４０を十分に緩め、本体２０の後部と挟持体４０との間隔を十分に広げて、本体２０の後部と挟持体４０との間に定盤１または平板２が挟まるようにして、定盤１または平板２に本体２０及び挟持体４０を装着する。この時、後面ストッパー基台２３は後面ローラー基台２６に対して後方に付勢されていることから、換言すれば、後面ローラー基台２６は後面ストッパー基台２４に対して挟持体４０方向に付勢されていることから、後面ストッパー２３よりも後面ローラー２５が内方に突出する状態となっている。一方、前面ストッパー基台４２は前面ローラー基台４８に対して前方に付勢されていることから、換言すれば、前面ローラー基台４８は前面ストッパー基台４２に対して本体２０の後部方向に付勢されていることから、前面ストッパー４１よりも前面ローラー４７が内方に突出する状態となっている。
【００３０】
この状態から挟持体４０を締付け方向に移動させると、まず、前面ローラー４７及び後面ローラー２５が定盤１または平板２に当接し、前面ローラー４７及び後面ローラー２５によって定盤１または平板２を適度な挟持力で挟持する状態になる。このような状態下では、本体２０及び挟持体４０を、横方向に、ガタツキがなく、しかも円滑に移動させることができる。なお、本例では、本体２０の後部の裏側、より具体的には後面ローラー基台２６に固設された部材の裏側、及び、挟持体４０の裏側、より具体的には前面ローラー基台４８に固設された部材の裏側、の夫々に上面ローラー２９が設けられており、本体２０及び挟持体４０は、定盤１または平板２の上面に、上面ローラー２９を介して載置された状態となっている。よって、本体２０及び挟持体４０を横方向に円滑に移動させることができる。
【００３１】
本体２０及び挟持体４０を所望の位置に移動させた後、その位置にてハンドル２１を回して挟持体４０を締付け方向に移動させていくと、前面ストッパー基台４２及び後面ストッパー基台２４が夫々の付勢力に抗して内方に前進し、やがて、前面ストッパー４１及び後面ストッパー２３が定盤１または平板２の前端面及び後端面に当接し、さらなる締付けにより、前面ストッパー４１及び後面ストッパー２３によって定盤１または平板２が縦方向に強い力で挟持され、もって、定盤１または平板２に対して本体２０及び挟持体４０が堅固に固定される。
【００３２】
なお、締付け力を緩めれば固定が解除され、本体２０及び挟持体４０が横方向に移動可能となることは言うまでもない。また、前面ローラー４７及び後面ローラー２５が定盤１または平板２に接触しており、且つ、前面ストッパー４１及び後面ストッパー２３が定盤１または平板２から離間している状態においては、前面ローラー基台４８及び後面ローラー基台２６の夫々を内方に付勢するバネ４９，２７の付勢力によって前面ローラー４７及び後面ローラー２５の夫々が定盤１または平板２を適度な力で押圧している状態であるため、この状態の下で本体２０及び挟持体４０を横方向に移動させれば、ガタツキのない移動を実現することができる。
【００３３】
ところで、本体２０の送りネジ２２の回動により本体２０に対して挟持体４０を縦方向に移動させることができるのであるが、本例の切断手工具用案内具１０では、加えて、挟持体４０の螺合部４３、より詳しくは前面ストッパー基台の４２螺合部４３が、ワンタッチ操作で螺合及び螺合解除できるようにしてあり、送りネジ２２と螺合部４３との螺合を解除することで、送りネジ２２の回動によらずに、挟持体４０を手で移動させることができるようにしてある。このような構成により、縦方向の寸法が様々な定盤１または平板２に対して、本体２０後部と挟持体４０との間隔を簡便に調節することができ、利便性を高めることができる。次に、この螺合部４３の構成を説明する。
【００３４】
図４に示すように、螺合部４３は、径方向に分割された一対の雌ネジ部材４４を用いて構成されている。そして、一対の雌ネジ部材４４は、基端側が互いに回動自在に軸支されており、各雌ネジ部材４４の先端部分には、夫々、雌ネジが設けられている。また、一対の雌ネジ部材４４は、各雌ネジが拡開して送りネジ２２の螺合が解除される方向にバネ（図示省略）によって互いに付勢されている。
【００３５】
一方、挟持体４０には、螺合レバー４５（図１参照）が傾動自在に取付けられており、この螺合レバー４５の先端には、一対の雌ネジ部材４４の基端部分を押圧して各雌ネジ部材４４の先端の間隔を狭めて送りネジ２２に螺合させる押圧部４６が設けられている。
【００３６】
螺合レバー４５を解除方向に操作すると、図４（ａ）に示すように、押圧部４６が各雌ネジ部材４４の基端部分を押圧しない方向に移動して（矢印Ａ）、各雌ネジ部材４４はバネの付勢力によって互いに開く方向に回動し、送りネジ２２との螺合が解除された状態となる。一方、螺合レバー４５を螺合方向に操作すると、図４（ｂ）に示すように、押圧部４６が各雌ネジ部材４４の基端部分を押圧する方向に移動して（矢印Ｂ）、各雌ネジ部材４４はバネの付勢力に抗して互いに閉じる方向に回動し、送りネジ２２と螺合する状態となる。
【００３７】
次に、切断手工具を縦方向に案内する縦案内部材３０について説明する。
【００３８】
図１に示すように、本体２０は、切断手工具を縦方向に案内する縦案内部材３０を具備するものとして構成されており、定盤１または平板２に本体２０を固定すれば、縦案内部材３０によって切断手工具を縦方向に良好に案内することができる。
【００３９】
縦案内部材３０は、断面が凸形状で長尺状に形成されたレール部３１を具備するものとして構成されており、レール部３１の側面に沿って切断手工具を移動させることで、切断手工具を縦方向に案内することができる。なお、本例では、本体２０に縦案内部材３０が着脱自在に装着されている。具体的に、縦案内部材３０は、レール部３１の側方にフック部３２を具備するものとして構成されており、本体２０の側部を構成する丸パイプ２８にフック部３２を掛けたり外したりすることで、本体２０に縦案内部材３０を着脱することができる。また、本例では、本体２０の左右の両側部が丸パイプ２８によって構成されており、縦案内部材３０を左右のいずれにも装着することができ、利便性に優れたものとなっている。
【００４０】
このように本体２０に縦案内部材３０を着脱自在とすることで、定盤１または平板２に本体２０を装着する際に、縦案内部材３０が邪魔になったり、縦案内部材３０が不用意に損傷することを防止できる。また、繰り返しの使用によって縦案内部材３０が損耗したり縦案内部材３０が破損して、切断手工具の良好な案内を実現できなくなったとしても、縦案内部材３０を取り替えることで、良好な案内を再現することができる。
【００４１】
ところで、本例の切断手工具用案内具１０では、縦案内部材３０が縦方向のレール部３１を具備するものであり、本体２０が、縦方向に延設されたレールを具備するものとして構成されている。そして、レール部３１に、切断手工具を横方向に案内する横案内部材５１を備えた補助案内具５０を着脱することができる構成となっている。次に、補助案内具５０について説明する。
【００４２】
図１に示すように、補助案内具５０は、レール部３１にスライド自在に装着されるブラケット５２と、このブラケット５２に取付けられた横案内部材５１とを具備するものとして構成されている。なお、横案内部材５１は、前端面または後端面に切断手工具を沿わせることで切断手工具を案内することができるものである。また、本例では、横案内部材５１がブラケット５２に上下方向に回動自在に支持されており、横案内部材５１を上方に回動させることで、切断対象の平板２上にて、邪魔にならないように退避させることができる。
【００４３】
ブラケット５２は、図５及び図６に示すように、縦案内部材３０のレール部３１の左右両側面上を転動するローラー５３を備えており、レール部３１に沿って円滑に移動させることができるものであるが、レール部３１の所望の位置にて固定できるように、内部にロック機構５４を具備するものとして構成されている。
【００４４】
ロック機構５４は、押圧板５５と、解除レバー５８と、係止レバー５９とで構成されている。
【００４５】
押圧板５５は、ブラケット５２内に左右方向に回動自在に組み付けられたものであり、回動することでレール部３１の一側面を押圧して、レール部３１に対してブラケット５２を固定するものである。また、押圧板５５は、レール部３１を押圧する方向にバネ５６によって付勢されている。
【００４６】
解除レバー５８は、ブラケッット５２に回動自在に支持されたものであり、回動することで、押圧板５５に突設されたピン５７を介して押圧板５５をバネ５６の付勢力に抗して移動させて、レール部３１の側面から押圧板５５を離間させるものである。ここで、解除レバー５８は、Ｌ字状に形成されており、一端側に係止レバー５９が軸支され、他端側にピン５７の頭部が係止されている。
【００４７】
係止レバー５９は、解除レバー５８に回動自在に支持されると共に、解除レバー５８とブラケット５２との間に収納されたものであり、係止部６０によって、ブラケット５２に設けられた突起６３を係止するものである。また、係止レバー５９は、係止部６０がブラケット５２の突起６３を係止する方向にバネ６２によって付勢されている。ここで、係止レバー５９は、Ｌ字状に形成されており、一端側に係止部６０が設けられ、他端側に固定レバー６１が設けられている。
【００４８】
このようなロック機構では、図６（ａ）に示すように、解除レバー５８の一端側（係止レバー５９を軸支する側）を押すと、解除レバー５８の一端側が下方に回動し（矢印Ｃ）、これにより、バネ６２の付勢力により係止レバー５９が回動して、係止レバー５９の係止部６０がブラケット５２の突起６３を自動的に係止する。また、解除レバー５８の他端側の回動により、ピン５７を介して押圧板５５がバネ５６の付勢力に抗して引っ張られ（矢印Ｄ）、押圧板５５がレール部３１の側面から離間する。よって、ブラケット５２の固定が解除された状態となり、ブラケット５２をレール部３１に対して摺動させることができる。また、係止レバー５９の係止部６０がブラケット５２の突起６３を係止していることで、ブラケット５２の固定解除状態は維持される。
【００４９】
一方、ブラケット５２をレール部３１に対して固定したい場合には、固定レバー６１を押せばよい。図６（ｂ）に示すように、固定レバーを押すと（矢印Ｅ）、係止レバー５９がバネ６２の付勢力に抗して回動して、係止部６０と突起６３との係止が解除される。すると、押圧板５５がレール部３１を押圧する方向に付勢されていることから、押圧板５５が回動して自動的にレール部３１を押圧する状態となり、レール部３１に対してブラケット５２が固定される。また、押圧板５５の回動により、ピン５７を介して解除レバー５８の他端が引っ張られ（矢印Ｆ）、解除レバー５８が回動して解除レバー５８の一端側（係止レバー５９を軸支する側）が上昇する。これにより、係止レバー５９の係止部６０は、ブラケット５２の突起６３を係止不能な位置となり、たとえ係止方向に付勢されていても、係止部６０が突起６３を係止することはなく、ブラケット５２の固定状態が維持される。
【００５０】
なお、本例では、押圧板５５を付勢するバネ５６の付勢力が大きく設定されており、ブラケット５２は堅固に固定される。一方、係止レバー５９を付勢するバネ６２の付勢力は、押圧板５５を付勢するバネ５６よりも小さく設定されており、小さな力で固定レバー６１を押すことができる。よって、ブラケット５２を固定する際においては、小さな力で固定レバー６１を押すだけといった簡便な操作によってブラケット５２を固定できるため、適宜の位置にブラケット５２を位置させた後、そのままの正確な位置にてブラケット５２を固定することができる。
【００５１】
以上、本考案に係る切断手工具用案内具１０の一例を示したが、このような切断手工具用案内具１０は、切断手工具の案内ばかりでなく、平板２に罫書きを入れるときの筆記具の案内、所謂「定規」として用いることもできるものである。
【図面の簡単な説明】
【００５２】
【図１】切断手工具用案内具の一例を示す斜視図である。
【図２】本体の前部の底面図である。
【図３】本体の後部の底面図である。
【図４】螺合部の概略を示す平面図である。
【図５】補助案内具のブラケットの底面図である。
【図６】図５のａ−ａ断面図である。
【符号の説明】
【００５３】
１  定盤
２  平板
１０  切断手工具用案内具
２０  本体
２１  ハンドル
２２  送りネジ
２３  後面ストッパー
２４  後面ストッパー基台
２５  後面ローラー
３６  後面ローラー基台
２７  バネ
２８  丸パイプ
２９  上面ローラー
３０  縦案内部材
３１  レール部
３２  フック部
４０  挟持体
４１  前面ストッパー
４２  前面ストッパー基台
４３  螺合部
４４  雌ネジ部材
４５  螺合レバー
４６  押圧部
４７  前面ローラー
４８  前面ローラー基台
４９  バネ
５０  補助案内具
５１  横案内部材
５２  ブラケット
５３  ローラー
５４  ロック機構
５５  押圧板
５６  バネ
５７  ピン
５８  解除レバー
５９  係止レバー
６０  係止部
６１  固定レバー
６２  バネ
６３  突起
【図１】
0003141350.tif 000003
【図２】
0003141350.tif 000004
【図３】
0003141350.tif 000005
【図４】
0003141350.tif 000006
【図５】
0003141350.tif 000007
【図６】
0003141350.tif 000008